(57)【特許請求の範囲】
【請求項１】
前身頃に左右一双のカップ部を有する女性用衣類であって、前記カップ部同士の間に、弾性体の乳房間溝仕切部を立設させたことを特徴とする、カップ部を有する女性用衣類。
【請求項２】
前記の乳房間溝仕切部は左右一双の紡錘形の弾性体からなるものであって、各弾性体の紡錘形の先端から他端までを各カップ部の乳房間溝寄りの内縁に沿ってカップ部と縫着せしめてカップ部内縁に沿って立設された左右一双の弾性体からなる乳房間溝仕切部としたものであることを特徴とする請求項１に記載のカップ部を有する女性用衣類。
【請求項３】
前記各カップ部には、カップ部下方内面に上弦円弧状の補強布が配され、前記補強布の下辺のみが前記カップ部下辺の湾曲に沿って前記カップ部下辺と縫着されていることを特徴とする、請求項１または２に記載のカップ部を有する女性用衣類。
【請求項４】
前記補強布の上辺を前記カップ部に縫着しないことを特徴とする請求項３に記載のカップ部を有する女性用衣類。
【請求項５】
前記前身頃が、乳房間において前開きの構造となっている、請求項１から４のいずれか１項に記載のカップ部を有する女性用衣類。
【発明の詳細な説明】
【技術分野】
【０００１】
本発明は、カップ部を有する女性用衣類に関する。特に、カップサイズの大きな乳房を支持して就寝時にも着用することに好適なカップ部を有する女性用衣類に関する。
【背景技術】
【０００２】
女性の乳房を保持するためのカップ部を有する女性用衣類は、起居して日常生活をする場面で着用するばかりでなく、乳房の形状を適切に保持するために、運動時、就寝時などにも着用できることが望まれている。しかしながら、通常のブラジャーは、着用時に乳房の形状を積極的に保持するべく、ワイヤーなどを用いて締めつけるものであるから、激しい運動時や就寝時の着用には必ずしも適さないものであった。
【０００３】
特にカップサイズが大きい場合、就寝時に寝返りを打った際など、乳房が大きく移動しやすい。また、横向きの姿勢（側臥姿勢）をとると、左右の乳房が互いに接触することがあり、擦れたり、乳房間溝（いわゆる左右の胸の谷間）が汗ばむと、汗が溜まり蒸れやすくなるなどの不快感が生じるという問題があり、不眠などにもつながっていた。同様に、激しい運動時にも、左右の乳房の揺れや、汗ばみという状況に直面していた。そこで、就寝時や運動時に胸部を必要以上に締めつけず、かつ乳房の形を適度に保持する就寝等に適したブラジャーをはじめとするカップ部を有する女性用衣類が望まれていた。
【０００４】
この点、就寝時に着用することを志向したブラジャーとして、左右バストの隆起部の外輪郭線を仰臥姿勢時の脇側広がりで且つ上広がりの外輪郭線で規定し、該外輪郭線に囲まれた内部を左右カップ部とし、該左右カップ部には、その中央部を大略逆Ｕ字状に囲む前側サポート部、上側サポート部、脇側サポート部を設けたカップ部を有する衣類において、前記左右カップ部に挟まれる前中央部にバスト離間支持部を設け、上記バスト離間支持部の幅は１〜３ｃｍとすると共に、上下長さは１０〜１５ｃｍとし、該バスト離間支持部と上記前側サポート部とで上記左右カップ部内の左右のバストを離間保持する構成が開示されている（たとえば特許文献１参照。）。ここにいう離間保持部とは、ブラジャーのいわゆる土台布となる部分の平面的な形状配置の工夫である。
【０００５】
しかしながら、カップサイズの大きな女性が装着する場合には、ワイヤーがないことから、カップの前中心が就寝時には浮きやすくなり、結局、特に横向き姿勢（側臥姿勢）になった場合には、離間保持部が十分に機能せず、左右の乳房の接触等を防ぐには十分とはいえなかった。
【０００６】
また、胸当て部および背部から肩掛け部がストレッチ性を有する編地で一体に形成されたバストカップを備えた女性用衣類であって、胸当て部の内側にバストカップを内装するポケットが内側布を縫合して形成され、このポケット内に挿入される一対のバストカップには、それぞれ装着時に乳房を外側から受けるパッドが内側下隅位置に付されてなることを特徴とする女性用衣類が開示されている（たとえば特許文献２参照。）これにより、パッドを乳房両脇側に位置させ、乳房を身体の中心寄りで持ち上げる構造となっている。
【０００７】
しかし、パッドで乳房を中央に寄せることは、内向きに支えることには寄与するものの、左右のバストの接触を避けるためにはむしろ有用とはいえず、締めつけるものではないにしても、寄せるという負荷がかかるものであった。
【０００８】
また、三日月状の左右のバストカップの一方端部どうしおよび他方端部どうしを交差させた状態でそれらの外周縁に縫い付けられた保持パネルと、前記保持パネルを胴体に固定する胴回パネルと、前記保持パネルを吊上げる肩掛部とを備える、就寝用ブラジャーが開示されている（たとえば特許文献３参照。）。
【０００９】
これは、左右のカップ部の部材を交差させて中央に寄せるように密着させるものであって、むしろ就寝時の左右の乳房の接触を防ぐ等の胸の大きな女性に向けた配慮には十分とはいえなかった。
【００１０】
次に、バストの下部からその外側部に沿って形成され、前記バストの外側方への移動を防止すべく横方向に非伸縮性を示し、縦方向に伸縮性を示す生地で形成されたサポート部を備えた補正下着が開示されている（たとえば特許文献４参照。）。
【００１１】
しかし、バストの外側方への移動を防止するものの、就寝時の左右の乳房の接触を防ぐ等を必要とする乳房の大きな女性にとって十分とはいえず、仰向けに寝ころんだときに上向きに流れる乳房を保持するにも十分とはいえなかった。
【００１２】
この点、左右のカップ部の内側上部に、一方の脇側支持部の脇側縁から他方の脇側支持部の脇側縁に至る１枚の連続した帯状のサポート布を設ける構成が開示されているものがある（たとえば特許文献５参照。）。
【００１３】
たしかに連続した帯状のサポート布とすることで、パワーネット等伸縮性が強くない素材を使用してもバストの上方への移動、変形を十分に抑制することができ、着用感を損ねるとがないものである。しかし、カップの中央にはギャザーを形成して離間部を設けるのみでは、カップサイズの大きな女性の場合には、側臥姿勢時に全体が浮き上がるので、左右の乳房の接触を防ぐには十分とはいえなかった。
【先行技術文献】
【特許文献】
【００１４】
【特許文献１】特開２００５−２３４９７号公報
【特許文献２】特開２００５−３０７３９０号公報
【特許文献３】実用新案登録第３１０７３８４号
【特許文献４】実用新案登録第３１４３９２１号
【特許文献５】実用新案登録第３１６７８２７号
【発明の概要】
【発明が解決しようとする課題】
【００１５】
そこで、本発明は、上記点に鑑み、カップサイズの大きい装着者であっても、側臥姿勢時の左右の乳房の接触を防ぎ、左右の乳房の擦れによる汗ばみ等装着時の不快感を低減し、かつ、従来のものと同様就寝時において拘束感なく乳房を適度に保持しうる、就寝時や運動時の着用に適したブラジャーなどのカップ部を有する女性用衣類を提供することを、目的とする。
【課題を解決するための手段】
【００１６】
前記課題を解決するための、本発明の第１の手段は、前身頃に左右一双のカップ部を有する女性用衣類であって、前記カップ部同士の間に、弾性体の乳房間溝仕切部を立設させたことを特徴とする、カップ部を有する女性用衣類である。
【００１７】
前記課題を解決するための、本発明の第２の手段は、前記の乳房間溝仕切部は左右一双の紡錘形の弾性体からなるものであって、各弾性体の紡錘形の先端から他端までを各カップ部の乳房間溝寄りの内縁に沿ってカップ部と縫着せしめてカップ部内縁に沿って立設された左右一双の弾性体からなる乳房間溝仕切部としたものであることを特徴とする、カップ部を有する女性用衣類である。
【００１８】
前記課題を解決するための本発明の第３の手段は、前記各カップ部には、カップ部下方内面に上弦円弧状の補強布が配され、前記補強布の下辺のみが前記カップ部下辺の湾曲に沿って前記カップ部下辺と縫着されていることを特徴とする、カップ部を有する女性用衣類である。
【００１９】
前記課題を解決するための本発明の第４の手段は、前記補強布の上辺を前記カップ部に縫着しないことを特徴とする、カップ部を有する女性用衣類である。
【００２０】
前記課題を解決するための本発明の第５の手段は、前記カップ部は、カップサイズの乳房保持容量を保ちつつ、カップ形状を上方に拡張させてカップ高さを低くしたことを特徴とする、カップ部を有する女性用衣類である。
【００２１】
前記課題を解決するための本発明の第６の手段は、前記前身頃が、乳房間において前開きの構造となっている、カップ部を有する女性用衣類である。
【発明の効果】
【００２２】
本発明により、前記カップ部同士の間に、弾性体の乳房間溝仕切部を立設させることで、左右の乳房の間の谷間が浮かず、その結果側臥姿勢時の左右の乳房の接触を防ぐことができるので左右の胸同士が擦れにくくなり、装着時の不快感が低減されるうえに、従前の就寝用のブラジャーと同様に就寝時において拘束感なく乳房を保持しうる状態を両立させることのできる、就寝用ブラジャーなどのカップ部を有する女性用衣類を提供することができる。
【００２３】
また、弾性体の前記乳房間溝仕切部の形状を紡錘形とし、前記紡錘形の先端から他端までを各カップ部の乳房間溝寄りの内縁に沿ってカップ部と縫着せしめると、カップ部内縁に沿って自然に湾曲しながら立ちあがるようになるので、前記乳房間溝仕切部として左右の乳房の間に立体的な仕切りとなることから、胸の谷間が浮きあがらず、左右の乳房が触れ合わないようになる。また、拘束感もないので、装着者も違和感を感じることなく、就寝用ブラジャーなどのカップ部を有する女性用衣類を着用することができる。
【００２４】
さらに、前記カップ部の下側に上弦円弧状の補強布を設け、前記カップ部の下辺と縫着することで、立位時において乳房をしっかりと保持して下支えすることができる。また、前記カップ部の内面側に補強布を補強する際に、前記カップ部のカップ布と前記補強布の上辺とを縫着していないようにすることで、立ち上がっている際には、補強布が乳房の下方の湾曲を規制し、前方に大きく隆起する形状を保持するが、仰向けに寝た場合には高さの低くなる胸のふくらみにあわせるように補強布はカップに密着するので、仰臥位および立位時の両方の状態について追従をすることができるので、昼間も夜間も乳房の周囲に負担感なく双方の使用場面での使用に適するカップ部を有する女性用衣類を提供することができる。
【００２５】
また、本発明の第５の手段によると、さらに、前記カップ部において、カップサイズの乳房保持容量を保ちつつ、カップ形状を上方に拡張させてカップ高さを低くすることで、仰臥位の姿勢時に、通常のカップ部と比較して乳房の高さが抑えられ、カップ部と乳房との間の隙間を極力なくすことができ、その結果、仰臥位の姿勢時の乳房の上方向へのさらなる流れを抑えることができる。
【００２６】
また、本発明の第６の手段によると、さらに、左右の乳房間で前開きの構造となっているため、着用者が一人で着替えても装着と脱衣が容易で、適切な着用が容易に実現できる。
【図面の簡単な説明】
【００２７】
【図１】は本発明の実施例の１形態である就寝用ブラジャーの表側からみた正面図である。
【図２】は前記就寝用ブラジャーを内面側から見た図である。
【図３】は装着者の側臥姿勢時の左右の乳房の位置関係を示す斜視図である。
【図４】は仰臥位の装着者を頭方向から見た場合の胸部における、従来品および本発明に係るブラジャーにおけるカップ接ぎラインの位置関係を示す拡大図である。
【図５】は前記カップ部の補強布である当て布を離した状態の内面側からの拡大図である。
【図６】は前記カップ部の当て布を添わせた状態の内面側からの拡大図である。
【図７】は前記就寝用ブラジャーのカップ部の内面側からみた拡大図である。
【図８】は図１のＡ−Ａ線における端面図である。
【図９】は前記就寝用ブラジャーのカップ部の内面側からみた斜視拡大図である。
【図１０】は前記就寝用ブラジャーの前開き部分を横方向から見た場合の拡大図である。
【図１１】は前記就寝用ブラジャーの前側部分の拡大図である。
【発明を実施するための形態】
【００２８】
本発明の実施形態を適宜図面を用いながら説明する。もちろん、本発明はかかる例示のみに限定されるものではない。また、本発明におけるカップ付女性用衣類は、就寝用ブラジャーや下着としてのブラジャーのみならず、ジュニア世代用のスポーツ用ブラジャーや、また、特にカップサイズの大きい装着者のためのカップ付タンクトップや、カップ付Ｔシャツなどにも適用することができる。
【００２９】
まず、就寝用ブラジャー１０は、図１に示すように、前身頃部２、および後ろ身頃部（詳細を図示せず）を備え、図２に示すように、前記前身頃部２の内面側には、左右一双の各カップ部３が縫合されることで外方向にカップ部が立体的に迫り出しており、それぞれのカップ部３の下部にはカップ部の下方外縁を支えるように上弦円弧状の補強布４である当て布が縫合されて乳房の荷重を支えうるように補強されている。
【００３０】
前記就寝用ブラジャー１０のサイズとして、たとえばブラジャーサイズが日本のサイズ表示におけるＩ‐７５用の場合には、前記就寝用ブラジャーの下端部の胴回りの周長を約６５．５センチメートル、カップくりラインを約３６センチメートル、および前記カップ部３の下部分および上部分が接ぎ合わされているカップ接ぎラインを約２６センチメートルとする。
【００３１】
さらに、図２に示すように、左右のカップ部３，３で形成される谷間には、左右一双の紡錘形の弾性体からなる前記乳房間溝仕切部１，１が、各弾性体の紡錘形の先端から他端までを各前記カップ部３の乳房間溝寄りの内縁に沿って前記カップ部３と縫着せしめられ、前記カップ部３の内縁に沿って立設されている。
【００３２】
たとえば、長さ１８ｃｍ程度で、最大厚み１ｃｍ、最大幅が２ｃｍ程度の断面が楕円形の縦細紡錘形のパッドを乳房間溝仕切部１の弾性体としたとき、このパッドを縦に位置せしめたうえで、楕円形の断面の長軸に相当する部位を胸の谷間の内側部分に対応するカップ部の湾曲部位に沿わせるように縫着していく。すると、紡錘形の先端と他端の間を平面に縫着すれば、パッドが引っ張られてテンションがかかるところ、紡錘形のパッドの一端をカップ部の下方の湾曲に沿わせるので、紡錘形のパッドはカップ部の内側（谷間寄り）に沿って縫着されることで、テンションが開放される反面、むしろ自然と立ち上がるようにして自立することとなる。そこで、カップの谷間側の湾曲に沿わせるようにして細長い紡錘形のパッドを縫着するだけで、自然と左右の乳房の谷間を仕切ることができるようになる。
【００３３】
すると、就寝時に側臥姿勢となっても、上側の乳房が下側の乳房と前記パッドで仕切られるので、直接接触することがない。また、パッドが立ち上がっているので、着用者が起きていても、寝ていても、ブラジャーを締めつけることもない一方で、ブラジャーが隆起する胸で浮き上がってしまうことも防ぎうることとなる。
【００３４】
そして、前記乳房間溝仕切部１の弾性体の構成としては、たとえば、中綿を外布でくるんだ紡錘状の細長いパッドを用いることが好適である。このように中綿を構成する生地に、弾性を有する素材を使用することで柔らかい間仕切りとすることができるので、着用者の体型に沿ってなじみやすく、不快感を伴いにくいものとなる。
【００３５】
この前記中綿を構成する弾性を有する素材からなる生地としては、たとえば、厚みがあっても通気調整のできるポリエステルなどの厚地の不織布やスポンジを用いることができる。厚みを出すことで適度な弾性、すなわちクッション性を持たせることができ、その結果移動するバストに優しく当接することが可能となる。また、糊付けや圧縮を少なくすることで、固い部分が形成されず、全体としてふんわりと柔らかな感触を有する中綿であることが好ましい。
【００３６】
また、前記外布を構成する生地として、たとえば、肌に接触する肌側部分には、シルクタッチで肌ざわりのよいトリコットなどのニット素材、洗濯に強く速乾性があり、うす手で軽いポリエステル素材または綿混素材や、また、お風呂上りやスポーツをした時、就寝時など大量の汗をかいても問題のない、清涼素材や接触清涼性の高い、吸水ポリエステルと撥水ポリエステルを組み合せた素材を用いることができる。
【００３７】
さらに、前記外布を構成する生地として、たとえば、肌と接触しない外側部分には、マーキゼットなどの伸縮性がない素材を用いることができる。また、後述する、前記乳房間溝仕切部１の弾性体であるパッドとして好ましい形状の１つである、レモン型形状や、前記パッドの厚みが保たれるように、前記外布の外側部分はラミネートされていることが好ましい。
【００３８】
前記パッド部が吸水性および伸縮性のある生地から形成されることで、たとえ左右の乳房が接触し、接触部分に汗などが溜まった場合であっても、装着者に不快感を与えることなく溜まった汗を吸収することができる。
【００３９】
また、前記乳房間溝仕切部１を構成する弾性体であるパッドの紡錘形の具体的形状としては、紡錘形の先端から他端の間の中央部に向けて、それぞれ各端から中央部にかけて膨らんだ形状であるものが好ましく、たとえばレモン型のものが好ましい。また、装着者が左右乳房の離間部分に圧迫感を感じない程度に、前記パッド部に立体的な膨らみをもたせてもよい。
【００４０】
ここで、前記就寝用ブラジャー１０を構成する前記前身頃部２、および前記後ろ身頃部を形成する生地としては、就寝時の拘束感をなるべく減らすために、伸縮性のある生地であることが好ましい。このように布地でカップ部を形成せしめることとすると、着用者への不快な締め付け感などが低減しやすいものとなる。
【００４１】
伸縮性のある生地として、たとえば、綿、アクリル、ポリウレタン、ナイロンなどの合成樹脂繊維を用いることができ、さらに好ましくは２ＷＡＹトリコット、天竺などのニット素材を用いることができるが、これらに限定されるものではない。伸縮性のある生地を用いることで、生地が左右上下に伸びるため身体の動きに優しく、また、シルクタッチのサラサラ感があり肌ざわりもよいものとなる。また、たとえば薄手で軽いポリエステルや綿混素材を用いた場合は、洗濯にも強いうえに速乾性を兼ね備えることとなる。
【００４２】
また、前述のとおり、図２に示すように、前記前身頃部２の内面側において、左右一双の各前記カップ部３が縫合され、さらに左右一双の各前記カップ部３の下部に前記上弦円弧状の補強布４である当て布が縫合されている。前記上弦円弧状の当て布の構成としては、たとえば、中綿、および外布からなるものが考えられる。
【００４３】
前記上弦円弧状の当て布の前記中綿を形成する生地としては、たとえば、中肉もしくは薄手の不織布を用いることができ、糊付けや圧縮を多くしてしっかりとした素材となっていることが好ましい。
【００４４】
また、前記外布を構成する生地として、たとえば、肌に接触する肌側部分には、シルクタッチで肌ざわりのよいトリコットなどのニット素材、洗濯に強く速乾性があり、うす手で軽いポリエステル素材または綿混素材や、また、お風呂上りやスポーツをした時、就寝時など大量の汗をかいても問題のない、清涼素材や接触清涼性の高い、吸水ポリエステルと撥水ポリエステルを組み合せた素材を用いることができる。
【００４５】
さらに、前記外布を構成する生地として、たとえば、肌と接触しない外側部分には、マーキゼットなどの伸縮性がない素材を用いることができる。また、前記外側部分は、ラミネートがされることで耐久性を持たせていることが好ましい。
【００４６】
また、図３に示すように、カップサイズの大きい装着者であっても、前記パッド部が左右の各乳房のバージスラインＬ１およびカップくりラインＬ２に沿うようにカップ部３と縫着されカップ部３の内縁に沿って自然に立設されていることで、側臥姿勢時の左右の乳房の接触を防ぐことができ、装着時の不快感を低減し、かつ今までのものと同様、就寝時において拘束感なく乳房を保持できる就寝用ブラジャー１０などのカップ部を有する女性用衣類を適用することができる。
【００４７】
さらに、前記パッド部が左右の各乳房の前記バージスラインＬ１および前記カップくりラインＬ２に沿うように前記カップ部３と縫着され前記カップ部３内縁に沿って自然に立設され、側臥姿勢時の左右の乳房が離間され、左右の乳房の接触が防止されることで、たとえば乳がん患者における、乳がん手術後に生じ得る問題である、たとえば片側の乳房の手術後の傷口が、もう片方の乳房との接触により痛む、または術後の回復を遅らせることになるといった問題も解決される。
【００４８】
さらに、前記カップ部３の下側に前記上弦円弧状の当て布を設け、前記カップ部３において、カップサイズの乳房保持容量を保ちつつ、カップ形状を上方に拡張させてカップ高さを低くすることで、仰臥位の姿勢時に、図４に示すように、前記従来品のブラジャーの前記カップ接ぎラインＬ４の高さと比較して、本発明のブラジャーの前記カップ接ぎラインＬ３の高さが低くなる分、乳房の高さとの隙間を極力なくすことができる。
【００４９】
ここで、カップ部分の形状を半楕円体であると仮定して計算を簡単にするとき、カップ部分の体積は以下の式で求めることができる。
【００５０】
【数１】
0006479462.tif 000002
【００５１】
上記式の「ｃｗ」はカップ部分の幅、「ｃｄ」はカップ部分の高さ、および「ｗｌ」はワイヤーの長さを表している。そして、この式からは、カップ部分の体積を同一のままに、カップ部分の底辺の面積を増大させようとすれば、その分だけ高さｃｄが低い値になることがわかる。      
【００５２】
たとえば、ブラジャーサイズが日本のサイズ表示におけるＦ６５からＪ９０の場合について、各カップ容量をそのままに、乳房を就寝時に上方に逃がした場合を想定した場合には、本発明における就寝用ブラジャーでは、通常の立位時のブラジャーの隆起と比較して、高さにして約０．８から１．３ｃｍ相当分、カップ高さが低くならなければ、ブラジャーが乳房から離れてしまうこととなる。
【００５３】
そこで、本発明のブラジャーにおいては、予めカップ形状を上方に拡張させてカップ高さを低くさせた形状としている。すなわち、図４で示した従来品のブラジャーの前記カップ接ぎラインＬ４と、本発明のブラジャーの前記カップ接ぎラインＬ３の高さの差が前記約０．８から１．３ｃｍ相当分に該当する。このようにすることで、就寝時の乳房の高さに対応するようにカップ側を追従させることができる。すると、就寝時に乳房の自然な形状に沿ってカップ部が支えることができ、それ以上に乳房が脇へ流れることを低減し、強く拘束することなく自然と保持することができるなど、就寝時に適した衣類とすることができる。
【００５４】
次に、カップ部の下方に縫着されているあて布について説明する。図５、図６、図７、図８および図９に示すように、前記カップ部３の前記当て布は、前記カップ部３のカップ布の下辺とのみ縫着されており、前記当て布の上辺部分は前記カップ部３と縫着されずに遊離している。
【００５５】
このようにあて布の下端部分のみを横着するような構造とすると、図８及び図９に示すように、あて布の上辺の湾曲は、立位時にはカップ部の湾曲から離れ、就寝時（仰臥状態）ではカップ部内面の湾曲に沿うこととなる。すると立位時には、乳房の下方の付け根側を、バージスラインに沿うようにあて布がしっかりと支えるので、形が崩れず、かつ、カップがあて布の上部と縫製されていないので、乳房が前方に突出するのにあわせて無理なく前方に突出しうることとなる。そこで、乳房を締めつけたり、乳房の形を歪めることなく、美しいバストラインを形成させながら、十分に保持しうるものとなる。また、乳房が揺れても、カップが追従しやすいものとなるので、乳房がカップと擦れにくく、運動等で痛くなったりしにくいものとなる。他方、仰向けに就寝した場合には、あて布の上辺にカップの内面が添うようになるので、仰向けに寝た状態でも、乳房とカップの間に無用な隙間が生じることがなく、サポートしうるものとなる。よって、仰臥位および立位時の両方の状態について追従をすることができ、乳房を負担なく固定し支えることが可能となる。
【００５６】
また、前記上弦円弧状の当て布の長さが、各々前記カップ部３のカップ布と比較して短くなっていることで、乳房に対して寄せ上げ（サイドリフト）の効果が生じることが期待される。
【００５７】
そして、前記カップ部３のカップ布には、たとえば伸縮性のない素材である不織布を用いることで、乳房をしっかりとサポートすることができる。さらに、前記カップ部３のカップ台部６には、たとえば伸縮性のない素材であるマーキゼットを用いることでも、乳房をしっかりとサポートすることができる。
【００５８】
前記カップ部３のバージスラインＬ１に沿ったワイヤー部分５には、図７に示すように、就寝時の拘束感をなるべく減らしリラックス感を与えるために、ノンワイヤーの構成を取ることが好ましく、たとえばワイヤー入りの代わりにパイピングのみのワイヤーループを用いることができる。前記ワイヤーループを用いることで、リラックス感を保ちつつ、乳房の形を整え、かつしっかり乳房をサポートすることができる。
【００５９】
前記ワイヤー部分５にノンワイヤーの構成をとったとしても、乳房間溝寄りの内縁に沿って、前記パッド部が前記カップ部３の内縁に沿って立設されているため、乳房と衣類との間の隙間により衣類の安定感が損なわれるということも防止することができる。また、前記カップ部３の脇部分７については、図７に示すように、就寝時の拘束感をなるべく減らすために、たとえばテープを用いることなどが考えられる。      
【００６０】
次に、前記前身頃部２は、左右の乳房間において、左右一双の各前記カップ部３が前開きの構造となっている。前開きとなる構造としては、図１０および図１１に示すように、前記ファスナー部９として、たとえばオープンファスナーを用いることができる。オープンファスナーを用いた場合であっても、図１１に示すように、左右一双の紡錘形の弾性体のパッドからなる前記乳房間溝仕切部１は、左右の乳房間において、各パッド部の先端から他端までを各前記カップ部３の乳房間溝寄りの内縁に沿って前記カップ部３と縫着せしめられ、前記カップ部３の内縁に沿って立設されていることで、前記ファスナー部９に前記パッド部が食い込むことなく前記ファスナー部９の開閉をおこなうことができる。
【００６１】
次に、前記就寝用ブラジャー１０は、様々なカップ容量の乳房の大きさに対応することができる。特に、カップサイズが大きい装着者用の就寝用ブラジャー１０には、現在の市場状況では、サイズ展開があまり多く提供されていないものが実情であるところ、本発明における前記カップ部３は、大きいカップサイズであっても、様々なカップ容量に対応した形で縫製することが可能である。モールド成形と異なり、布を重ね合わせてカップ部を形成しうるので、金型等を用意せずともよいので、多数のサイズバリエーションに負担なく対応しうるからである。
【００６２】
すると、本発明におけるブラジャーなどのカップ部を有する女性用衣類の前記カップ部は、サイズ構成を細かく設定することが可能でありできるので、サイズ展開が少ないカップサイズの大きい装着者の就寝用ブラジャーと比較して、より購入者のニーズに適したブラジャーなどのカップ部を有する女性用衣類を提供することができる。
【００６３】
なお、前記就寝用ブラジャー１０に用いる素材としては、全体的に抗菌・防臭の機能がある素材であることができ、適宜、こうした機能性素材を採用して適用することができる。
【００６４】
本発明の他の実施の形態としては、図示しないが、たとえば前記カップ部を縫製し、カップ部を乳房の前側部分において前開きにできるようファスナーを用いたジュニア世代用のスポーツ用ブラジャーがある。さらに、その他の実施の形態としては、図示しないが、同じく前記カップ部を縫製したカップサイズの大きい装着者のためのカップ付タンクトップや、カップ付Ｔシャツなどがある。これらは、カップ部の内周側に湾曲に沿わせるように紡錘形のパッドを縫着して仕切りを自然と立ち上がらせうる構造をしており、カップの下方を内面から補強する補強布が、カップの下辺の湾曲とのみ縫着されているだけなので、就寝時、スポーツ時と複数のシチュエーションにそのまま使える点で、就寝用専用に近い従来品とは異なる融通性が得られる。
【符号の説明】
【００６５】
１    乳房間溝仕切部
２    前身頃部
３    カップ部
４    補強布
５    ワイヤー部分
６    カップ台部
７    脇部分
８    装着者の胴部分
９    ファスナー部
１０  ブラジャー
Ｌ１    バージスライン
Ｌ２    カップくりライン
Ｌ３    本発明のブラジャーのカップ接ぎライン
Ｌ４    従来品のブラジャーのカップ接ぎライン
【図１】
0006479462.tif 000003
【図２】
0006479462.tif 000004
【図３】
0006479462.tif 000005
【図４】
0006479462.tif 000006
【図５】
0006479462.tif 000007
【図６】
0006479462.tif 000008
【図７】
0006479462.tif 000009
【図８】
0006479462.tif 000010
【図９】
0006479462.tif 000011
【図１０】
0006479462.tif 000012
【図１１】
0006479462.tif 000013